(57)【特許請求の範囲】
【請求項１】
筒状の音響管と、音源信号を発生する信号源と、前記音響管の一端に設け、前記信号源から入力した音源信号に応じた音波を前記音響管内に放射する第１のスピーカと、前記音響管の他端に設け、前記信号源から入力した音源信号に応じた音波を前記音響管内に放射する第２のスピーカと、前記第１のスピーカから放射された音波が前記第２のスピーカに到達する時間だけ遅延させて、前記信号源からの音源信号を前記第２のスピーカに入力させる遅延回路と、前記遅延回路によって遅延された第２のスピーカに入力される音源信号の振幅と位相を、前記第１のスピーカで発生した空気の振動が前記第２のスピーカに到達する時に、反射しないように前記第２のスピーカの振動板を前記振動と同一方向に振動させるよう調整する振幅・位相調整回路を備えたことを特徴とする平面進行波音場生成装置。
【請求項２】
前記振幅・位相調整回路は、前記遅延回路によって遅延された第２のスピーカに入力される音源信号の振幅と位相を、前記音源信号の周波数によって変化させて調整することを特徴とする前記請求項１記載の平面進行波音場生成装置。
【請求項３】
筒状の音響管と、音源信号を発生する第１及び第２の二つの信号源と、前記音響管の一端に設け、前記第１の信号源から入力した音源信号に応じた音波を前記音響管内に放射する第１のスピーカと、前記音響管の他端に設け、前記第２の信号源から入力した音源信号に応じた音波を前記音響管内に放射する第２のスピーカを備え、前記第１の信号源から前記第１のスピーカに入力する音源信号が周期性を有する信号であり、この音源信号を位相調整して前記第２の信号源に入力し、前記第２の信号源から前記第２のスピーカに対する音源信号として出力するとともに、この第２のスピーカに対する音源信号の位相を微調整して、前記第１のスピーカで発生した空気の振動が前記第２のスピーカに到達する時に、反射しないように前記第２のスピーカの振動板を前記振動と同一方向に振動させる位相微調整回路を設けたことを特徴とする平面進行波音場生成装置。
【請求項４】
前記音響管の周面に、前記音響管内に音響センサを挿脱可能に配置するための挿入部を設けたことを特徴とする前記請求項１〜３のいずれか１項記載の平面進行波音場生成装置を用いた音響センサ試験装置。
【請求項５】
前記音響管の周面に多数の放音孔を設けたことを特徴とする前記請求項１〜３のいずれか１項記載の平面進行波音場生成装置を用いた指向性スピーカ。
【発明の詳細な説明】
【技術分野】
【０００１】
本発明は、反射がほとんどない平面進行波音場を生成する装置、この装置を用いた、マイクロホン、マイクロホンプローブなどの音響センサの試験装置及び指向性スピーカに関し、特に、1次元平面進行波音場の生成に好適な装置に関する。ここで、１次元平面進行波とは、音波の伝搬方向に垂直な方向での音圧ならびに位相の変化の程度が十分小さいと見なせるものをいう。
【背景技術】
【０００２】
音響計測の分野において平面進行波音場を実現することは極めて重要なテーマである。例えば、音響センサであるマイクロホン単体や、音響インテンシティを測定するマイクロホンプローブを校正する場合に、一方向だけに進行する波だけが存在する音場、すなわち平面進行波音場、好ましくは１次元平面進行波音場に、それらのセンサを設置して、所定の特性が得られるかを試験する必要がある。
【０００３】
より具体的には、一般に、マイクロホン単体に正面から平面進行波が到来すると、波長に対してマイクロホンの直径が十分小さいときには音場を乱すことはないが、直径と波長が同等程度になってくるとマイクロホンの前面の音圧が上昇し、結果としてマイクロホンの出力も上昇する。この出力上昇が実際にどの程度かを確認するには、平面進行波の音場を作って調べる必要がある。また、マイクロホンは指向性を有しているので、マイクロホン軸に対して音波が到来する方向を変えて出力電圧の変化を調べる必要がある。
【０００４】
また、一般に用いられる音響インテンシティ測定用のマイクロホンプローブ（以下、音響インテンシティプローブという。）は、軸方向に間隔をおいて配置した２つのマイクロホンを使用し、音場の音響インテンシティプローブの軸方向の大きさを測定するものであるが、この場合も音響インテンシティの知られている音場にプローブをおいて所定のインテンシティが得られるかどうかを試験する必要がある。
【０００５】
反射のない平面進行波の音場の場合、音圧をP（Pa：パスカル）とすると、音響インテンシティプローブの軸方向の音響インテンシティI（W/m2）はI = （P 2/ρc）cosθで与えられる。ここで、ρは空気密度（kg/m3）、cは音速（m/s）、θは音波の進行方向とプローブの軸方向との角度（ラジアン）である。平面進行波音場、好ましくは１次元平面進行波が生成できれば、実際に前記値Ｉが得られるかどうかを試験することが可能となる。
【０００６】
従来知られている、もっとも一般的な平面進行波音場を実現する方法は反射の少ない無響室を作ることである（特許文献１）。この無響室内で、スピーカから音を発すれば、遠方においては平面波に近い音場が得られる。太陽光が地球に平面進行波として到着することと同じ原理である。
【先行技術文献】
【特許文献】
【０００７】
【特許文献１】特開２００８−２９８１号公報
【発明の開示】
【発明が解決しようとする課題】
【０００８】
しかしながら、無響室内に平面進行波音場を実現するには、使用最低周波数の音波の波長と同程度以上の大きさの、高機能の吸音材を設けた無響室が必要である。このような無響室は、占有面積が大きく、また高価にならざるをえないとともに、移動が困難なので、使い勝手が悪いという不都合がある。また、無響室内に１次元平面進行波音場を実現することは、実際上不可能といってよい。本発明はこのような不都合を音響管を用いて解決した平面進行波音場生成装置、好ましくは１次元平面進行波音場生成装置を提供するとともに、この平面進行波音場生成装置、好ましくは１次元平面進行波音場生成装置を用いた音響センサ試験装置及び指向性スピーカを提供することを目的とする。
【課題を解決するための手段】
【０００９】
前記目的を達成するために、本発明の請求項１に係る平面進行波音場生成装置は、筒状の音響管と、音源信号を発生する信号源と、前記音響管の一端に設け、前記信号源から入力した音源信号に応じた音波を前記音響管内に放射する第１のスピーカと、前記音響管の他端に設け、前記信号源から入力した音源信号に応じた音波を前記音響管内に放射する第２のスピーカと、前記第１のスピーカから放射された音波が前記第２のスピーカに到達する時間だけ遅延させて、前記信号源からの音源信号を前記第２のスピーカに入力させる遅延回路と、前記遅延回路によって遅延された第２のスピーカに入力される音源信号の振幅と位相を、前記第１のスピーカで発生した空気の振動が前記第２のスピーカに到達する時に、反射しないように前記第２のスピーカの振動板を前記振動と同一方向に振動させるよう調整する振幅・位相調整回路を備えたものである。前記音響管は、好ましくは、前記音響管内の軸線に対して垂直な横方向の寸法を前記放射される音波の波長より小さく設定したものである。前記第１のスピーカから放射された音波が前記第２のスピーカに到達する時に、換言すると、前記第１のスピーカで発生した空気の振動が前記第２のスピーカに到達する時に、前記第２のスピーカの振動板は丁度同じ方向に振動するので反射は発生しない。
【００１０】
同じく前記目的を達成するために、本発明の請求項２に係る平面進行波音場生成装置は、前記請求項１の平面進行波音場生成装置において、前記遅延回路によって遅延された第２のスピーカに入力される音源信号の振幅と位相を、前記音源信号の周波数によって変化させ、前記第１のスピーカで発生した空気の振動が前記第２のスピーカに到達する時に、反射しないように前記第２のスピーカの振動板を前記振動と同一方向に振動させるよう調整する前記振幅・位相調整回路を備えたものである。２つのスピーカが完全に同じ特性を有していない場合や、スピーカの表面が平坦でないと、第１のスピーカから放射された音波が前記第２のスピーカに到達する時間が必ずしも一定とはならず、また、周波数により変化する可能性もあるが、第２のスピーカに加える音源信号を、遅延させるとともに、周波数により振幅と位相を変化させることにより、反射の発生防止はより完全なものとなる。
【００１１】
同じく前記目的を達成するために、本発明の請求項３に係る平面進行波音場生成装置は、筒状の音響管と、音源信号を発生する第１及び第２の二つの信号源と、前記音響管の一端に設け、前記第１の信号源から入力した音源信号に応じた音波を前記音響管内に放射する第１のスピーカと、前記音響管の他端に設け、前記第２の信号源から入力した音源信号に応じた音波を前記音響管内に放射する第２のスピーカを備え、前記第１の信号源から前記第１のスピーカに入力する音源信号が周期性を有する信号であり、この音源信号を位相調整したうえ第２の信号源から前記第２のスピーカに対する音源信号として出力するとともに、前記第２のスピーカに対する音源信号の位相を微調整して、前記第１のスピーカで発生した空気の振動が前記第２のスピーカに到達する時に、反射しないように前記第２のスピーカの振動板を前記振動と同一方向に振動させる位相微調整回路を設けたものである。前記音源信号が周期性を有する信号である場合は、第２のスピーカに加える音源信号を遅延させずに、位相を変化させることで、第１のスピーカから放射された音波の反射が防止される。
【００１２】
同じく前記目的を達成するために、本発明の請求項４に係る音響センサ試験装置は、前記請求項１〜３記載の平面進行波音場生成装置を用いたもので、前記音響管の周面に、前記音響管内に音響センサを挿脱可能に配置するための挿入部を設けたものである。マイクロホン単体や音響インテンシティプロ−ブなどの音響センサを、挿入部から音響管内に挿入してほぼ理想的な音場に配置することが可能となる。
【００１３】
同じく前記目的を達成するために、本発明の請求項５に係る指向性スピーカは、前記請求項１〜３記載の平面進行波音場生成装置を用いたもので、前記音響管の外周に多数の放音孔を設けたものである。多数の放音孔から出て前方へ進む音波は位相が一致して強め合い、側方へ出る音波は、距離差による位相差を生じて互いに弱め合うので、鋭い指向性がもたらされる。
【発明の効果】
【００１４】
本願の請求項１の発明によれば、第２のスピーカに加える音源信号の振幅と位相を調整することで、第１のスピーカから音響管内に放射された音波の反射が防止されて、ほぼ理想的な平面進行波音場を生成することができる。
【００１５】
本願の請求項２の発明によれば、第２のスピーカに加える音源信号の振幅と位相を調整することで、より理想的な平面進行波音場を生成することができる。
【００１６】
本願の請求項３の発明によれば、第１のスピーカに加える音源信号が周期性の信号の場合に、この音源信号の位相を調整して第２のスピーカに加える音源信号としたうえ、さらにこの音源信号の位相を微調整をすることで、理想的な平面進行波音場を生成することができる。
【００１７】
本願の請求項４の発明によれば、ほぼ理想的な平面進行波音場において、音響センサの試験を正確に行なうことができる。
【００１８】
本願の請求項５の発明によれば、簡潔な構成で、鋭い指向性を有するスピーカを得ることができる。
【図面の簡単な説明】
【００１９】
【図１】本発明を１次元平面進行波音場生成装置に適用した第１の実施形態を示す概略的な構成図。
【図２】同じく遅延時間による位相遅れ量を示すグラフ。
【図３】同じく複素平面上での位相の微調整方法を示すグラフ。
【図４】本発明を１次元平面進行波音場生成装置に適用した第２の実施形態を示す概略的な構成図。
【図５】同じく第１のスピーカの信号源に対する第２のスピーカの信号源の位相遅れ量を示すグラフ。
【図６】本発明の音響センサ試験装置の一実施形態を示す概略的な構成図。
【図７】本発明の指向性スピーカの一実施形態を示す概略的な構成図。
【発明を実施するための最良の形態】
【００２０】
はじめに、平面進行波の生成原理について説明する。
ｘ軸方向のみ存在する１次元音波の伝播方程式は次式で表される。ここで、Ｐは音圧、ｋは波数（=2πf/c、f：周波数、c：音速）である。
【数１】
0005388890.tif 000002
この一般解は次式で与えられる。
【数２】
0005388890.tif 000003
ここで、A、Bは境界条件で決められる定数である。xに関する微分は
【数３】
0005388890.tif 000004
で与えられる。
【００２１】
境界条件を一端の粒子速度をV、他端のそれをVexp(-jkL)とする。kLは音響管の2つのスピーカの距離Lを伝播するときに発生する位相遅れである。第１の条件から
【数４】
0005388890.tif 000005
としてBが得られる。
【数５】
0005388890.tif 000006
第2の条件
【数６】
0005388890.tif 000007
にBを代入することにより
【数７】
0005388890.tif 000008
が求められる。
【００２２】
数式５と数式７を数式２に代入することにより、音圧Ｐが求められる。
【数８】
0005388890.tif 000009
この式は、至るところ一定の音圧（粒子速度V0）の平面進行波音場であること
を示している。すなわち、音圧振幅が一定で距離xの位置での位相はkxだけ遅れ
るという反射のない平面進行波の基本的性質を満たしている。
【００２３】
続いて、上述した原理に基づく、本発明の第１の実施形態について説明する。図１に示すように、１次元平面進行波音場生成装置１００は、筒状の音響管１の各端に、第１のスピーカ２と第２のスピーカ３をそれぞれ取り付けている。第１のスピーカ２には、信号源４から発せられた音源信号が、増幅器５で増幅されて入力するよう構成している。また、第２のスピーカ３には、信号源４から発せられた音源信号が、遅延回路６で所定時間遅延され、次いで振幅・位相微調整回路７で音源信号の周波数により振幅及び位相が微調整され、さらに増幅器８で増幅されて入力するよう構成している。
【００２４】
音響管１は円筒でも角筒でもよい。１次元平面進行波の音場を生成するには、音響管１内の軸線に対して垂直な横方向の寸法、具体的には、円筒であれば内径、正方形の断面を有する角筒であれば内辺の長さ、を音響管１内に放射される音波の波長より小さく設定することが必要である。音響管１が、正方形の断面を有する場合の横方向の最低共振周波数は内辺の長さをDとすると、λ/2=c/2f=D（λ：波長、ｃ：音速、ｆ：周波数）において共振が生じる。ここで、f=2ｋHzとすると、D=0.086mとなる。1kHz程度までの帯域で使用する場合には内寸法を10cm程度以内に納めることが必要である。一方、音響管１の長さについては、内寸法の数倍以上の大きさであることが望ましい。１kHz以下の帯域で使用する場合は1m程度をとれば十分である。また、数kHz程度の帯域まで使用するためには、さらに小さな管を用意する必要がある。
【００２５】
また、各スピーカ２，３は同一構成で、特性が同一であることが望ましい。１次元平面進行波音場を生成するには、スピーカの振動板の形状は、可能な限り、横方向のモードが発生しにくいように、なるべく平面に近いほうがよい。そのためには平板スピーカやコーン型でもなるべく平坦に近い、浅い形状のものを選択することが望ましい。
【００２６】
２つのスピーカ２，３が完全に同じ特性を有するとは限らないことや、スピーカ２の表面が平坦でないことにより、第１のスピーカ２から放射された音波が、第２のスピーカ３に到達する時間がかならずしも一定とは限らず、周波数により変化する可能性がある。この到達時間に僅かな差があると、第２のスピーカ３による音波の放射と同期せず、反射が発生することになる。この反射を取り除くために、遅延回路６とともに、振幅・位相微調整回路７を設けて、理想的な1次元平面進行波音場を生成している。
【００２７】
各スピーカ２，３間の距離をL（m）とすると、遅延時間はtd = L/c （c：音速）となり、この遅延時間が遅延回路６で設定される。また、この時の位相の遅れは2πftd
= 2πf(L/c) = kL（f：周波数、k：波数）となる。図２はL=1m、c = 343 m/sとしたときの周波数に対する位相の遅れ量を示したものである。この位相の遅れ量が振幅・位相微調整回路７で微調整される。
【００２８】
次いで、１次元平面進行波音場が音響管１内に生成されているかどうかを確認する方法について説明するが、この方法は吸音率などを測るときに用いる一般的な方法である。
【００２９】
図１に示す２つのスピーカ２，３に微調整まえの音源信号を加える一方、音響管１の周壁に２箇所の孔を設け、そこにマイクロホン９，１０をそれぞれ挿入して管内の音圧を測定する。このとき、マイクロホン９，１０の先端が音響管１内に突出して音場を乱すことがないようにすることが重要である。
【００３０】
第１のスピーカ２から第２のスピーカ３に向けて伝わる進行波を
【数９】
0005388890.tif 000010
反射波を
【数１０】
0005388890.tif 000011
とする。ここで、Aは進行波の振幅、Bは反射波の振幅である。また、θはx
= 0 における進行波と反射波の位相差である。
【００３１】
マイクロホン９および１０の座標であるx１およびx２における音圧は次式で与えられる。
【数１１】
0005388890.tif 000012
ｘ１とｘ２における音圧間の測定で得られた伝達関数をHとすると
【数１２】
0005388890.tif 000013
となる。
これを書き換えると
【数１３】
0005388890.tif 000014
が得られる。
【００３２】
もし、最初から理想的な伝達関数すなわち大きさが1で位相遅れがk(x2-x1)である、
【数１４】
0005388890.tif 000015
が実現されているとすると、
【数１５】
0005388890.tif 000016
となり、反射波が存在しない音場が実現されていることになる。
【００３３】
一般には、数式１４が最初から満たされることはほとんどありえない。その場合には、Ｈが数式１４を満たすように振幅と位相を微調整すればよい。すなわち、図３の複素平面上でＨが目標点である ○ で示す (coskΔx, jsinkΔx) に近づくようにする。例えば、微調整前の伝達関数が △ で示すＨ１にあるとする。次に、振幅だけをBからΔBだけ増加させる。そのときの伝達関数が
□ で示すＨ２に移動したとすれば、○に一番近づく変化量を求めることができる。その後に、振幅は固定して位相のみを変化させて同様のことを行う。これを複数回繰り返せば目標値に十分近づけることができる。
【００３４】
また、微調整後の伝達関数が完全に数式１４を満たすとは限らない。その値をH'とすれば、それを数式１３に代入して反射率rが求められる。
【数１６】
0005388890.tif 000017
第２のスピーカ３による実効的吸音率αは
【数１７】
0005388890.tif 000018
として求めることができる。反射率をr < 0.05以下となるように実現されたとすれば吸音率α > 0.9975 となり、ほぼ完全な１次元平面進行波音場が実現できることになる。
【００３５】
次に、本発明の第２の実施形態を図４に基づいて説明する。本実施形態の１次元平面進行波音場生成装置２００は、第１のスピーカ１２に対する音源信号が音響センサの試験に使う周期性を持った複合正弦波などの周期信号である場合に適用して好適なもので、この場合は音源信号を時間的に遅らせることなく、位相調整したものを第２のスピーカ１３に対する音源信号とし、第１の実施形態と同様に位相調整することで、反射波の発生を防止できる。すなわち、図４に示すように、本実施形態の回路構成は、上述した第１の実施形態の回路構成から遅延回路を除外し、各別の信号源を設けたもので、１１は音響管、１２は第１のスピーカ、１３は第２のスピーカ、１４は第１の信号源、１６は第２の信号源、１７は振幅・位相微調整回路、１５，１８は増幅器、１９，２０は音場調整用のマイクロホン、２１は第１の信号源１４の音源信号を位相調整して第２の信号源１６に入力する音源信号調整手段である。
【００３６】
第１の信号源１４から発せられる音源信号は、周期性を持った復号正弦波であるインパルス信号、チャープ信号、擬似ランダム信号などである。この音源信号は、増幅器１５で増幅されて第１のスピーカ１２に入力する一方、音源信号調整手段２１たるソフトウェアで位相調整され、第２のスピーカ１３に対する音源信号とすべく第２の信号源１６に入力する。すなわち、音源信号調整手段２１は、第１の信号源１４からの音源信号をフーリエ変換し、得られたスペクトルの振幅は変えずに、図５に示す位相特性を付加し、さらにこれをフーリエ逆変換して、第２の信号源１６の音源信号とするものである。
【００３７】
そして、この第２の信号源１６から発せられた音源信号は、振幅・位相微調整回路１７によって、第１の実施形態と同様に、位相が微調整され、次いで増幅器１８で増幅されて第２のスピーカ１３に入力する。なお、図５は図２の位相特性を±πの範囲に入るように書き直した特性である。この位相関係を満たすことで周期的な信号の場合の実質的動作は、図１の回路構成の場合と全く同じになる。なお、マイクロホン１９，２０の使用方法は、上述した第１の実施形態の場合と同様であるから、その説明は省略する。
【００３８】
図６は、本発明の第２の実施形態による1次元平面進行波音場生成装置２００を用いた音響センサ試験装置３００の一実施形態を示すものである。この音響センサ試験装置３００は、音響管１１の外周に、挿入口２３を設けるとともに、この挿入口２３を閉塞する脱着自在な開閉蓋２２を設けて、挿入部を形成したものである。前記開閉蓋２２には、音響センサ２４の信号線を緊密に挿通する孔を設けている。前記挿入口２３から、音響インテンシティプロ−ブなどの音響センサ２４を、前記音響管１１内に挿脱可能に配置することができる。
【００３９】
音響インテンシティプローブなどの音響センサ２４は、音響管１１内において、音波の進行方向に対して向きや傾斜角度を変化させることが可能であり、ほぼ理想的な音場における特性評価が可能となる。なお、試験対象となる音響センサ２４は、音響インテンシティプローブのほか、例えば、マイクロホン単体でもよい。
【００４０】
図７は、本発明の第１の実施形態による1次元平面進行波音場生成装置１００を用いた指向性スピーカ４００の一実施形態を示すものである。この指向性スピーカ４００は、音響管１の外周に多数の微細な放音孔３１を設けたものである。放音孔３１の配置は特に限定するものではないが、軸方向に多数並べて複数列を平行に配置したり、多重の螺旋状に配置したり、隣り合う列と位置をずらして千鳥状に配置したりすることが考えられる。このように構成した場合、多数の放音孔３１から出て前方へ進む音波は位相が一致して強め合い、側方へ出る音波は、距離差による位相差を生じて互いに弱め合うので、鋭い指向性をもったスピーカ４００となる。音響管の一端にスピーカを、他端に吸音材を用いた従来の指向性スピーカでは、３０ｃｍ程度の吸音層の厚みをとっても、広い帯域で反射率を０．２以下、吸音率では０．９６以上、にすることは困難であったが、本実施形態によれば、これが可能である。
【００４１】
なお、本発明は上述の各実施形態に限定されるものではなく、例えば、第２の実施形態では、音源信号の振幅調整は不要なので、振幅・位相微調整回路１７に換えて、位相のみを調整する位相微調整回路を用いてもよい。
【符号の説明】
【００４２】
１，１１      音響管
２，１２      第１のスピーカ
３，１３      第２のスピーカ
４，１４，１６      信号源
５，８，１５，１８      増幅器
６      遅延回路
７，１７      振幅・位相微調整回路
２１      音源信号調整手段
２２      開閉蓋
２３      挿入口
２４      音響センサ
３１      放音孔
１００，２００      １次元平面進行波音場生成装置
３００      音響センサ試験装置
４００      指向性スピーカ
【図１】
0005388890.tif 000019
【図２】
0005388890.tif 000020
【図３】
0005388890.tif 000021
【図４】
0005388890.tif 000022
【図５】
0005388890.tif 000023
【図６】
0005388890.tif 000024
【図７】
0005388890.tif 000025